(57)【要約】【課題】  ゲーム機等への景品の補充や入れ替え等の作業を容易にする。【解決手段】  物品の個別供給装置１０は、傾斜シャフト１１と、下から２番目の景品３０−２に係止することにより傾斜シャフト１１に引っ掛けられた最下端３０−１を除く景品３０…の下方への移動を停止させる係止位置と、該景品３０−２への係止を解除することにより傾斜シャフト１１に引っ掛けられた景品３０…を下方へ移動させる開放位置との間を動作可能な第一の仕切り板１２と、第一の仕切り板１２が係止位置にあるときに最下端の景品３０−１への係止を解除することにより最下端の景品３０−１を下方へ移動させる開放位置と、第一の仕切り板１２が開放位置にあるときに最下端の景品３０−１に係止することにより傾斜シャフト１１に引っ掛けられた景品３０…の下方への移動を停止させる係止位置との間を動作可能な第二の仕切り板１３とを備える。【選択図】  図１
2005230286.tif 000002
【特許請求の範囲】
【請求項１】
保持した複数の物品が該物品の自重により下方へ移動するように斜めに配設された傾斜シャフトと、
下から２番目の物品に係止することにより上記傾斜シャフトに保持した最下端を除く物品の下方への移動を停止させる係止位置と、該物品への係止を解除することにより上記傾斜シャフトに保持した物品を下方へ移動させる開放位置との間を動作可能な第一の係止部材と、
上記第一の係止部材が上記係止位置にあるときに上記最下端の物品への係止を解除することにより該最下端の物品を下方へ移動させる開放位置と、上記第一の係止部材が上記開放位置にあるときに上記最下端の物品に係止することにより上記傾斜シャフトに保持した物品の下方への移動を停止させる係止位置との間を動作可能な第二の係止部材と、を備えることを特徴とする物品の個別供給装置。
【請求項２】
保持した複数の物品が該物品の自重により下方へ移動するように斜めに配設された傾斜シャフトから、物品を個別に供給する物品の個別供給方法であって、
第一の係止部材が下から２番目の物品に係止することにより上記傾斜シャフトに保持した最下端を除く物品の下方への移動を停止させる係止位置にあるときに、第二の係止部材が上記最下端の物品への係止を解除することにより該最下端の物品を下方へ移動させる供給ステップと、
上記第二の係止部材が最下端の物品に係止することにより上記傾斜シャフトに保持した物品の下方への移動を停止させる係止位置にあるときに、上記第一の係止部材が物品への係止を解除することにより上記傾斜シャフトに保持した物品を下方へ移動させる搬送ステップと、を含むことを特徴とする物品の個別供給方法。
【請求項３】
請求項１に記載の物品の個別供給装置の傾斜シャフトに物品を引っ掛ける引っ掛け具であって、
上記第一の係止部材が上記係止位置で下から２番目の物品に係止する際に、該第一の係止部材を最下端の物品と下から２番目の物品との間に挿入させるための切り欠き部を有することを特徴とする引っ掛け具。
【請求項４】
請求項１に記載の物品の個別供給装置を搭載し、それによりゲームの景品を供給することを特徴とするゲーム機。
【発明の詳細な説明】
【技術分野】
【０００１】
本発明は、ゲーム機等に搭載される、複数の景品を保管し、一個ずつ搬送して払い出す物品の個別供給装置、物品の個別供給方法、物品の個別供給装置に用いる引っ掛け具に関するものである。
【背景技術】
【０００２】
ゲームセンター等に設置されているゲーム機の中には、ゲームの成績に応じて景品を払い出すものがある。そのようなゲーム機には、複数の景品を保管し、一個ずつ搬送して払い出すために、物品の個別供給装置景品が搭載されている。
【０００３】
例えば、下記の特許文献１には、吊り掛け部を有する景品の搬送、払い出しを行うタイプのゲーム機に採用する搬送、払出し機構に関する考案が開示されている。この考案の具体的な構成は、ピッチの粗いコイルバネを、ステーで支え、コイルの一端に、モーターの軸を連結した構成であり、前記ピッチ間に景品の吊り掛け部を掛け、モーターの回転数を制御することにより、景品の搬送や払い出しを行うものである。また、類似の発明が下記の特許文献４に開示されている。
【０００４】
また、下記の特許文献２には、内周に歯を形成し、外周には景品を掛ける爪を形成したベルトをステーで支え、さらに前記ベルトに形成する歯と噛み合う歯を持つベルト駆動歯車を回転することにより、景品を搬送する景品収納送出機の考案が開示されている。また、類似の発明が下記の特許文献５に開示されている。
【０００５】
また、下記の特許文献３には、往復運動による景品の搬送、払い出し機構が開示されている。具体的には、景品類を等間隔に保持する支持部と、支持部に関係して位置し、さらに、前後に往復運動して景品類を搬送し払い出すスライド部と、支持部とスライド部とを関係付けて、スライド部の往復運動方向を案内するガイド部と、スライド部に往復運動させる駆動連絡部と、からなる。そして、スライド部の一往復運動で景品類が搬送方向に間隔の一間隔分移動する。
【特許文献１】登録実用新案第３０１６０９４号公報（発行日：平成７年（１９９５）９月２６日）
【特許文献２】登録実用新案第３０２０８９４号公報（発行日：平成７年（１９９５）１１月１５日）
【特許文献３】特開平１０−２４９０５８号公報（公開日：平成１０年（１９９８）９月２２日）
【特許文献４】特開平１０−３０５９１２号公報（公開日：平成１０年（１９９８）１１月１７日）
【特許文献５】特開平１１−１４４１４２号公報（公開日：平成１１年（１９９９）５月２８日）
【発明の開示】
【発明が解決しようとする課題】
【０００６】
しかしながら、上記従来の構造では、景品を装填する際、ピッチ間等の所定の装填位置に景品を一個ずつ装填する必要があった。また、景品を取り外す際には、景品を一個ずつ取り外す必要があった。したがって、景品の補充作業や、古い景品を新しい景品に入れ替える作業に時間を要し、作業効率が悪かった。
【０００７】
本発明は、上記の問題点を解決するためになされたもので、その目的は、ゲーム機等への景品の補充や入れ替え等の作業が容易である物品の個別供給装置、物品の個別供給方法、引っ掛け具、ゲーム機を提供することにある。
【課題を解決するための手段】
【０００８】
上記課題を解決するために、本発明に係る物品の個別供給装置は、保持した複数の物品が該物品の自重により下方へ移動するように斜めに配設された傾斜シャフトと、下から２番目の物品に係止することにより上記傾斜シャフトに保持した最下端を除く物品の下方への移動を停止させる係止位置と、該物品への係止を解除することにより上記傾斜シャフトに保持した物品を下方へ移動させる開放位置との間を動作可能な第一の係止部材と、上記第一の係止部材が上記係止位置にあるときに上記最下端の物品への係止を解除することにより該最下端の物品を下方へ移動させる開放位置と、上記第一の係止部材が上記開放位置にあるときに上記最下端の物品に係止することにより上記傾斜シャフトに保持した物品の下方への移動を停止させる係止位置との間を動作可能な第二の係止部材と、を備えることを特徴としている。
【０００９】
また、本発明に係る物品の個別供給方法は、保持した複数の物品が該物品の自重により下方へ移動するように斜めに配設された傾斜シャフトから、物品を個別に供給する物品の個別供給方法であって、第一の係止部材が下から２番目の物品に係止することにより上記傾斜シャフトに保持した最下端を除く物品の下方への移動を停止させる係止位置にあるときに、第二の係止部材が上記最下端の物品への係止を解除することにより該最下端の物品を下方へ移動させる供給ステップと、上記第二の係止部材が最下端の物品に係止することにより上記傾斜シャフトに保持した物品の下方への移動を停止させる係止位置にあるときに、上記第一の係止部材が物品への係止を解除することにより上記傾斜シャフトに保持した物品を下方へ移動させる搬送ステップと、を含むことを特徴としている。
【００１０】
これにより、第一の係止部材を係止位置に置いて、下から２番目以上の物品の下方への移動を停止させながら、第二の係止部材の係止を解除して、最下端の物品を下方へ移動させる供給ステップと、第二の係止部材を係止位置に置いて、第一の係止部材の係止を解除して、傾斜シャフトに保持した物品を下方へ移動させる搬送ステップとを実行することができる。
【００１１】
よって、複数の物品を保持した傾斜シャフトから、最下端に来たものを順に落下させることにより、物品を個別に供給することができる。また、第一および第二の係止部材を一度交互に移動させることで、物品を一個供給できるため、物品の繰り出し時間が短い。
【００１２】
そして、物品は傾斜シャフトを自重によって移動するものであるため、物品の傾斜シャフトへの補充位置が限定されない。それゆえ、物品の補充作業や、古い物品を新しい物品に入れ替える作業が容易である。また、物品の先入れ先出しが可能となる。また、上記物品の個別供給装置は、機構が単純であるため、故障や物品の引っ掛かりが発生せず、安定して動作させることが可能である。
【００１３】
また、本発明に係る引っ掛け具は、上記の物品の個別供給装置の傾斜シャフトに物品を引っ掛ける引っ掛け具であって、上記第一の係止部材が上記係止位置で下から２番目の物品に係止する際に、該第一の係止部材を最下端の物品と下から２番目の物品との間に挿入させるための切り欠き部を有することを特徴としている。
【００１４】
これにより、最下端の物品の切り欠き部に第一の係止部材を挿入することができる。よって、物品の本体がシート状等の薄いものであって、傾斜シャフトにおいて、物品に取り付けられた引っ掛け具同士が接触する場合、あるいは、引っ掛け具同士の間隔が狭い場合であっても、第一の係止部材を最下端の物品と下から２番目の物品との間に確実に挿入して、下から２番目の物品の下への移動を止めることができるという効果を奏する。
【００１５】
また、本発明に係るゲーム機は、上記の物品の個別供給装置を搭載し、それによりゲームの景品を供給することを特徴としている。このように、上記の物品の個別供給装置は、ゲームセンターに設置されるようなゲーム機に好適である。
【発明の効果】
【００１６】
以上のように、本発明に係る物品の個別供給装置は、傾斜シャフトと、下から２番目の物品に係止することにより傾斜シャフトに保持した最下端を除く物品の下方への移動を停止させる係止位置と、該物品への係止を解除することにより傾斜シャフトに保持した物品を下方へ移動させる開放位置との間を動作可能な第一の係止部材と、第一の係止部材が係止位置にあるときに最下端の物品への係止を解除することにより該最下端の物品を下方へ移動させる開放位置と、第一の係止部材が開放位置にあるときに最下端の物品に係止することにより傾斜シャフトに保持した物品の下方への移動を停止させる係止位置との間を動作可能な第二の係止部材と、を備える。
【００１７】
また、本発明に係る物品の個別供給方法は、第一の係止部材が下から２番目の物品に係止することにより傾斜シャフトに保持した最下端を除く物品の下方への移動を停止させる係止位置にあるときに、第二の係止部材が最下端の物品への係止を解除することにより最下端の物品を下方へ移動させる供給ステップと、第二の係止部材が最下端の物品に係止することにより傾斜シャフトに保持した物品の下方への移動を停止させる係止位置にあるときに、第一の係止部材が物品への係止を解除することにより傾斜シャフトに保持した物品を下方へ移動させる搬送ステップと、を含む。
【００１８】
これにより、複数の物品を保持した傾斜シャフトから、最下端に来たものを順に落下させることにより、物品を個別に供給することができるという効果を奏する。また、第一および第二の係止部材を一度交互に移動させることで、物品を一個供給できるため、物品の繰り出し時間が短いという効果を奏する。
【００１９】
そして、物品は傾斜シャフトを自重によって移動するものであるため、物品の傾斜シャフトへの補充位置が限定されない。それゆえ、物品の補充作業や、古い物品を新しい物品に入れ替える作業が容易であるという効果を奏する。また、物品の先入れ先出しが可能となる。また、上記物品の個別供給装置は、機構が単純であるため、故障や物品の引っ掛かりが発生せず、安定して動作させることが可能である。
【００２０】
それゆえ、本発明によれば、ゲーム機等への景品の補充や入れ替え等の作業が容易である物品の個別供給装置、物品の個別供給方法を実現することができる。
【発明を実施するための最良の形態】
【００２１】
本発明の一実施の形態について図１から図８に基づいて説明すれば、以下のとおりである。
【００２２】
図２は、本実施の形態に係る物品の個別供給装置１０を搭載したゲーム機１の概要を示す斜視図である。
【００２３】
ゲーム機１は、ゲームセンター等に設置されるタイプであり、物品の個別供給装置１がゲームの景品３０を一個ずつ払い出すために搭載されている。なお、本実施の形態では、ゲーム機１として、利用者がプレイしたゲームの成績に応じて４種類の景品を切り替えて払い出すために、物品の個別供給装置１０を４つ備えたものを説明する。もちろん、景品の個別供給装置１０の数は、ゲーム機１の仕様により適宜を選択可能である。
【００２４】
図２に示すように、ゲーム機１の中央には、景品収容室２が設けられている。景品収容室２には、物品の個別供給装置１０が、ゲーム機１の前面側に横に並べて２台と、それぞれの背面側に２台の合計４台が搭載されている。なお、物品の個別供給装置１０の位置が前面側であるのか背面側であるのかを区別する場合には、前面側に設けられるものを「物品の個別供給装置１０Ｆ」、背面側に設けられるものを「物品の個別供給装置１０Ｂ」として表記する。
【００２５】
ゲーム機１の前面中央には、物品の個別供給装置１０に景品３０を補充したり、物品の個別供給装置１０を保守・点検するための景品収容室扉２ａが設けられている。そして、ゲーム機の保守担当者が、景品収容室扉２ａを開けて、景品３０の引っ掛け具３１を物品の個別供給装置１０の傾斜シャフト１１に引っ掛けることにより、景品３０の補充を行うことができる。なお、前面側の物品の個別供給装置１０Ｆには、景品収容室扉２ａを開けるだけで、傾斜シャフト１１に景品３０を引っ掛けることができる。一方、背面側の物品の個別供給装置１０Ｂの傾斜シャフト１１に景品３０を引っ掛ける際には、前面側の物品の個別供給装置１０Ｆを下方へ移動させることで、作業空間を確保できるようになっている（図３）。
【００２６】
後述するように、物品の個別供給装置１０は、傾斜シャフト１１に引っ掛けた複数の景品３０…をその自重により下方へ移動させるとともに、最下端まで移動した景品３０を一個ずつ傾斜シャフト１１から落下させるように構成されている。そして、ゲーム機１の制御により、ゲームの成績に応じた景品３０を払い出すために、その景品３０を引っ掛けていた物品の個別供給装置１０に景品３０の供給が指示されると、その物品の個別供給装置１０は、傾斜シャフト１１の下端より景品３０を一個落下させる。
【００２７】
ここで、ゲーム機１に搭載された物品の個別供給装置１０には、傾斜シャフト１１がゲーム機１の前面側が高く、背面側が低くなるように傾斜させて配設されている。よって、景品３０は、傾斜シャフト１１に引っ掛けられた状態で、ゲーム機１の前面側から背面側の方向に移動した後、落下することになる。そして、傾斜シャフト１１から落下した景品３０は、物品の個別供給装置１０の下方に設けられた搬送路（図示せず）を通って、ゲーム機１の前面の下部に設けられた景品取り出し口３に到達するようになっている。なお、傾斜シャフト１１の傾斜の向きや角度はゲーム機１や景品３０等に応じて適宜変更可能である。
【００２８】
また、ゲーム機１は、前面に利用者がゲームをプレイするためのボタンやコイン投入口を備えた操作パネル４が設けられている。
【００２９】
さらに、ゲーム機１は、景品収容室２の周囲に、内部を見ることができるように壁面が透明材で形成された展示室５が設けられている。この展示室５には、例えば景品３０を陳列することができる。
【００３０】
次に、図１、３〜８を参照しながら、物品の個別供給装置１０の構成および動作を詳細に説明する。
【００３１】
まず、図４（ａ）（ｂ）に示すように、景品３０は、傾斜シャフト１１に引っ掛けることができるように、シート状の景品本体３５の端部にフック状の引っ掛け具３１が取り付けられている。詳細には、引っ掛け具３１は、景品本体３５の周縁部に開口されたフライス穴３５ａに、景品本体３５の表裏から交互に、引っ掛け具３１の３本の爪３２をそれぞれ係合させることによって取り付けられている。
【００３２】
また、引っ掛け具３１は、フックの頂部３３に切り欠き部３４が形成されている。後述するように、この切り欠き部３４は、第一の仕切り板１２が係止位置（図６（ｂ）、図７（ａ）、図８では１８０°）で下から２番目の景品３０−２に係止する際に、第一の仕切り板１２を最下端の景品３０−１と下から２番目の景品３０−２との間に挿入させるためのものである。
【００３３】
本実施の形態では、傾斜シャフト１１に沿った方向への厚みが景品本体３５よりも引っ掛け具３１の方が厚い。そのため、傾斜シャフト１１に引っ掛けられた隣接する景品３０…では、引っ掛け具３１同士が接触することになる。そこで、切り欠き部３４を設けることによって、第一の仕切り板１２を最下端の景品３０−１と下から２番目の景品３０−２との間に確実に挿入して、下から２番目の景品３０−２の下への移動を止めることができる。
【００３４】
つづいて、図１に示すように、物品の個別供給装置１０は、傾斜シャフト１１と、仕切り板駆動部１０ａとを少なくとも備えている。ここで、景品３０は、図４（ａ）（ｂ）に示すように、景品本体３５に、傾斜シャフト１１に引っ掛けるためのフック状の引っ掛け具３１が取り付けられた形状であるものとする。
【００３５】
傾斜シャフト１１は、引っ掛けられた複数の景品３０…が自重により滑らかに下方へ滑り落ちるように取り付け角度および表面状態が設計されている。例えば、景品３０個（約１３５０ｇ）を引っ掛ける場合、景品補充作業による加圧と、引っ掛け具３１の大きさ形状とを考慮して、直径６ｍｍのステンレス丸棒を水平から３０°傾斜させて配設することができる。
【００３６】
仕切り板駆動部１０ａは、モータ１４の回転軸に第一の仕切り板（第一の係止部材）１２および第二の仕切り板（第二の係止部材）１３が取り付けられている。
【００３７】
第一の仕切り板１２は、モータ１４によって回転することにより、下から２番目の景品３０−２に係止することにより傾斜シャフト１１に引っ掛けられた最下端（３０−１）を除く景品３０…の下方への移動を停止させる係止位置（図７（ａ）、図８では１８０°）と、該景品３０−２への係止を解除することにより傾斜シャフト１１に引っ掛けられた景品３０…を下方へ移動させる開放位置（図６（ａ）、図８では０°）との間を動作する。
【００３８】
第二の仕切り板１３は、モータ１４によって回転することにより、第一の仕切り板１２が係止位置（図７（ａ）、図８では１８０°）にあるときに最下端の景品３０−１への係止を解除することにより該最下端の景品３０−１を下方へ移動させる開放位置と、第一の仕切り板１２が開放位置（図６（ａ）、図８では０°）にあるときに最下端の景品３０−１に係止することにより傾斜シャフト１１に引っ掛けられた景品３０…の下方への移動を停止させる係止位置との間を動作する。
【００３９】
ここで、図８に示すように、第一の仕切り板１２および第二の仕切り板１３は、概略、モータ１４の回転軸を中心とする同心円を直径と平行な直線に沿って切断した大きい方の領域の形状であり、孤の中央が（凸部）反対の位置（回転角が１８０°異なる位置）となるように重ね合わせられている。なお、以下では、回転角を図８のようにとるものとする。
【００４０】
第二の仕切り板１３は、０°〜９０°の期間、最下端の景品３０−１の引っ掛け具３１に当接するように直径が設定されている。
【００４１】
第一の仕切り板１２は、９０°〜１８０°の期間、最下端の景品３０−１の引っ掛け具３１の切り欠き部３４に入り込みながら、９０°〜２７０°の期間、下から２番目の景品３０−２の引っ掛け具３１に当接するように直径が設定されている。また、第一の仕切り板１２は、３６０°の頃に、下から２番目の景品３０−２の引っ掛け具３１に当接しないように、円板の一部が切除された形状となっている。
【００４２】
また、モータ１４の回転軸には、第一の仕切り板１２および第二の仕切り板１３とともに回転する回転角検出用カム１５が取り付けられている。そして、回転角検出用カム１５の周面にはスイッチ１６が当接している。回転角検出用カム１５は、例えば図５に示すような形状であり、回転にともなってスイッチ１６をＯＮ／ＯＦＦする形状になっている。これにより、回転角検出用カム１５は、モータ１４の回転角、すなわち、第一の仕切り板１２および第二の仕切り板１３の位置を検出することができる。なお、回転角検出用カム１５およびスイッチ１６のような機械式の代わりに、光学式の検出装置によって、回転角を検出してもよい。
【００４３】
さらに、物品の個別供給装置１０には、位置決めカム１７が設けられている。位置決めカム１７は、物品の個別供給装置１０の制御部（図示せず）の制御により、回転角検出用カム１５によって検出した回転角に同期して回転する。具体的には、図６、７に示すように、位置決めカム１７は、通常、最下端の景品３０が傾斜シャフト１１からまっすぐ下がるように、該景品３０の景品本体３５に当接しているが、該景品３０を落下させる際には、落下位置まで該景品３０を移動させるようになっている。
【００４４】
この位置決めカム１７により、最下端の景品３０−１および下から２番目の景品３０−２の姿勢をまっすぐにできるため、第一の仕切り板１２を最下端の景品３０−１と下から２番目の景品３０−２との間に確実に挿入して、下から２番目の景品３０−２の下への移動を止めることができる。
【００４５】
次に、図３を参照しながら、物品の個別供給装置１０の景品収容室２への取り付け構造について説明する。
【００４６】
物品の個別供給装置１０は、傾斜シャフト１１や仕切り板駆動部１０ａ等が取り付けフレーム２２に取り付けられており、取り付けフレーム２２ごと着脱できるようになっている。取り付けフレーム２２は、上面と両側面とからなる断面が略「コ」の状である。そして、取り付けフレーム２２の上面に固定されたシャフト取り付け部材２１を介して、傾斜シャフト１１が取り付けフレーム２２に取り付けられている（図４（ｂ）参照）。
【００４７】
ここで、ゲーム機１の背面側の物品の個別供給装置１０Ｂは、取り付けフレーム２２が景品収容室２の内壁面に直接装着される。よって、物品の個別供給装置１０Ｂは、取り付けフレーム２２が景品収容室２に装着された状態では、その位置は変わらない。
【００４８】
これに対して、ゲーム機１の前面側の物品の個別供給装置１０Ｆは、取り付けフレーム２２がアーム２４・２５を介して景品収容室２の内壁面に装着される。アーム２４・２５は、取り付けフレーム２２の少なくとも片方の側面に設けられている。アーム２４・２５は、回転軸２４ｂ、２５ｂを介して、取り付けフレーム２２に回動可能に取り付けられている。また、アーム２４・２５は、回転軸２４ａ、２５ａにより、景品収容室２に回動可能に取り付けれている。このように、物品の個別供給装置１０Ｆは、景品収容室２にアーム２４・２５を介して取り付けられることによって、取り付けフレーム２２ごと上下に移動可能となっている。よって、背面側の物品の個別供給装置１０Ｂに景品３０を補充する際には、前面側の物品の個別供給装置１０Ｆを下方へ移動させて作業空間を確保できる。
【００４９】
さらに、アーム２４・２５には、バネ２６が取り付けられており、取り付けフレーム２２を下方へ移動させるにつれて引き延ばされて、上方へ戻ろうとする付勢力を発生させるようになっている。また、ゲーム機１の運転状態の際に、前面側の取り付けフレーム２２を最も上げた状態で固定する固定具（図示せず）が設けられている。
【００５０】
つづいて、物品の個別供給装置１０による景品３０の供給動作を説明する。
【００５１】
まず、図６（ａ）、図８（０°）に示すように、開始状態では、第二の仕切り板１３が係止位置にあり、最下端の景品３０−１に係止することにより傾斜シャフト１１に引っ掛けられた景品３０…の下方への移動を停止させる。
【００５２】
次に、図６（ｂ）、図８（９０°）に示すように、第二の仕切り板１３が最下端の景品３０−１から外れ始めると同時に、第一の仕切り板１２が下から２番目の景品３０−２に係止し始める。このとき、第一の仕切り板１２は、最下端の景品３０−１の切り欠き部３４に入り込む。
【００５３】
次に、図７（ａ）、図８（１８０°）に示すように、第二の仕切り板１３が最下端の景品３０−１から完全に外れて、最下端の景品３０−１が傾斜シャフト１１を下方に移動して落下する（供給ステップ）。このとき、第一の仕切り板１２が下から２番目の景品３０−２に係止することにより傾斜シャフト１１に引っ掛けられた景品３０−２より上の景品３０…の下方への移動を停止させる。
【００５４】
次に、図７（ｂ）、図８（２７０°）に示すように、第一の仕切り板１２が景品３０−２から外れ始める。
【００５５】
次に、図６（ａ）、図８（３６０°）に示すように、第一の仕切り板１２が景品３０−２から完全に外れると、傾斜シャフト１１に引っ掛けられた景品３０…が下方へ移動して、開始状態に戻る（搬送ステップ）。
【００５６】
以上のように、上記物品の個別供給装置１０によれば、複数の景品３０…を引っ掛けた傾斜シャフト１１から、最下端に来たものを順に落下させることにより、景品３０を個別に供給することができる。また、第一の仕切り板１２および第二の仕切り板１３を１回転させれば景品３０を一個を供給できるため、景品３０の繰り出し時間が短い。
【００５７】
そして、景品３０の補充は、傾斜シャフト１１に引っ掛けるだけでよく、その引っ掛け位置も指定されていないので、補充作業が容易である。また、景品３０の先入れ先出しが可能となる。また、上記物品の個別供給装置１０は、機構が単純であるため、故障や引っ掛かりが発生せず、安定して動作させることが可能である。
【００５８】
なお、本実施の形態は本発明の範囲を限定するものではなく、本発明の範囲内で種々の変更が可能であり、例えば、以下のように構成することができる。
【００５９】
本発明の景品の払い出しを行う機構は、景品を引っ掛ける傾斜したシャフトと、前記傾斜したシャフトの下端側に設けた繰り出し（駆動）手段と、前記繰り出し手段を制御する制御手段とを備え、前記繰り出し手段は、前記シャフト上方に次回払い出し予定以外の景品を保持する制御手段により動作可能な第一の仕切り板と、前記第一の仕切り板との間に次回に繰り出し可能な景品を保持する制御手段により動作可能な第二の仕切り板とを有していてもよい。
【００６０】
また、本発明は、最下端の景品３０−１および下から２番目の景品３０−２に係止させるべく２枚の仕切り板を交互に駆動する装置および方法である。すなわち、上述したように、第一の仕切り板１２および第二の仕切り板１３をモータ１４で回転させる構成の他、２枚の仕切り板をソレノイド等により所定のタイミングで駆動してもよい。
【００６１】
また、景品の形態はシート状に限らず、カプセル状等の他の形態でもよい。景品がカプセル状である場合、傾斜シャフト１１の代わりに、断面が半円弧状や“コ”の字状のレールを利用することができ、引っ掛け具３１も不要である。
【００６２】
また、仕切り板は、傾斜シャフト１１の上方から挿入する代わりに、シャフト中に設けて、シャフトより突出させてもよい。また、第一の仕切り板１２および第二の仕切り板１３による係止位置は、引っ掛け具３１のほか、景品本体３５等の他の部位であってもよい。
【００６３】
また、本実施の形態では、第一の仕切り板１２および第二の仕切り板１３を分離された２枚の平板として説明したが、上述したタイミングでそれぞれが最下端の景品３０−１および下から２番目の景品３０−２に係止あるいは係止の解除を行える形状であれば、他の形状に形成されていてもよい。例えば、図８の２７０°の状態では、第一の仕切り板１２および第二の仕切り板１３の間にいずれ景品の引っ掛け具３１も入り込むことがないので、この時期に傾斜シャフト１１に接近する部位にて第一の仕切り板１２と第二の仕切り板１３とが連続して形成されていてもよい。すなわち、第一の仕切り板１２および第二の仕切り板１３は、一体としてらせん状に形成されていてもよい。
【００６４】
また、モータ１４による駆動に関しては、オーバーランによる停止位置ずれを防ぐため、短絡ブレーキを用いた制御回路を使用することが望ましい。
【産業上の利用可能性】
【００６５】
本発明は、複数の物品を保管し、一個ずつ搬送して払い出すことができるため、ゲームセンター等に設置されている、ゲームの成績に応じて景品を払い出すゲーム機等に広く適用できる。
【図面の簡単な説明】
【００６６】
【図１】本発明の一実施の形態に係る物品の個別供給装置を示す正面図である。
【図２】図１に示した物品の個別供給装置を搭載したゲーム機の概要を示す斜視図である。
【図３】図２に示したゲーム機における物品の個別供給装置の取り付け状態を示す説明図である。
【図４】（ａ）（ｂ）は、図１に示した物品の個別供給装置に装填される景品の引っ掛け具の側面図および正面図である。
【図５】図１に示した物品の個別供給装置の回転角検出用カムの正面図である。
【図６】（ａ）（ｂ）は、図１に示した物品の個別供給装置による景品の供給動作を示す説明図である。
【図７】（ａ）（ｂ）は、図１に示した物品の個別供給装置による景品の供給動作を示す説明図である。
【図８】図１に示した物品の個別供給装置による景品の供給動作を示す説明図である。
【符号の説明】
【００６７】
１    ゲーム機
１０    物品の個別供給装置
１１    傾斜シャフト
１２    第一の仕切り板（第一の係止部材）
１３    第二の仕切り板（第二の係止部材）
３０    景品（物品）
３０−１    最下端の景品（物品）
３０−２    下から２番目の景品（物品）
３１    引っ掛け具
３４    切り欠き部
【図１】
2005230286.tif 000003
【図２】
2005230286.tif 000004
【図３】
2005230286.tif 000005
【図４】
2005230286.tif 000006
【図５】
2005230286.tif 000007
【図６】
2005230286.tif 000008
【図７】
2005230286.tif 000009
【図８】
2005230286.tif 000010